(57)【要約】【課題】停電時に点灯する照明装置は、通常点灯しており停電時に点灯を継続するものか、通常消灯しており停電時に点灯を開始するものしかなく、外部電源からの通電時にスイッチによって点消灯できて通常の照明器具として使用できるものが無かった。【解決手段】スイッチのオンオフ状態にかかわらず充電部に充電する充電回路部と、上記商用電源からの電力供給が停止したことを検知する停電検知部とを備え、上記停電検知部が停電の発生を検知すると、上記充電部に充電されている電力によって上記発光部を発光させるようにした。【選択図】  図２
2015125960.tif 000002
【特許請求の範囲】
【請求項１】
外部の商用電源から電力供給を受け、発光体を発光させる照明器具であって、発光体の点消灯を行うスイッチを有するものにおいて、上記スイッチのオンオフ状態にかかわらず充電部に充電する充電回路部と、上記商用電源からの電力供給が停止したことを検知する停電検知部とを備え、上記停電検知部が停電の発生を検知すると、上記充電部に充電されている電力によって上記発光部を発光させることを特徴とする照明器具。
【請求項２】
室内の天井に設置される主照明器具よりも下方に位置して取り付けられ、副照明器具として使用されることを特徴とする請求項１に記載の照明器具。
【発明の詳細な説明】
【技術分野】
【０００１】
本発明は、停電が発生すると自動的に点灯する照明器具に関する。
【背景技術】
【０００２】
上記のような照明器具として、外部の商用電源に接続されており、その外部電源からの電力の供給が停止すると、電力供給時に蓄電器に蓄電していた電力で発光部を点灯させるものが知られている。
【０００３】
このような停電発生時に点灯する照明器具としては、通常時は外部電源からの電力で常時点灯しており、停電が発生しても継続して点灯状態を継続するものと（例えば、特許文献１参照）、通常時は消灯しており、停電が発生すると、そこで初めて点灯するものとがある（例えば、特許文献２参照）。
【先行技術文献】
【特許文献】
【０００４】
【特許文献１】特開２００６−２３６９３４号公報（段落０００６）
【特許文献２】特開２００５−９３２５１号公報（段落００２１）
【発明の概要】
【発明が解決しようとする課題】
【０００５】
上記特許文献１に記載されたような、通電時に点灯しており、停電が発生しても継続して点灯し続ける照明器具では、通電時に常時点灯し続けるため、照明を必要とするときのみ点灯させ、それ以外の状態では消灯させるような、通常の照明器具と同じような使い方をすることができない。なお、上記特許文献１に記載されたものではスイッチを備えているが、このスイッチをオフにすると擬似的に停電が発生した状態となるため、そのまま点灯し続け、蓄電されていた電力がすべて消費されるまでの所定時間（記載のものでは１時間程度）経過した後で消灯するので、実用的でない。
【０００６】
また、上記特許文献２に記載されたような、通常は消灯しており、停電発生時に点灯する照明器具では、点検スイッチを備えており、点検スイッチをオフにすると擬似的に停電が発生した状況となるので点灯し、点検スイッチをオンにすれば通電状態となるので消灯する。このような作用では一見して通常の照明器具として使用できそうであるが、点検スイッチをオフにして点灯させている間は内部に蓄電した電力のみで点灯させているので、所定時間経過すると消灯してしまい、やはり実用的ではない。
【０００７】
そこで本発明は、上記の問題点に鑑み、通電中は点灯及び消灯を自由に切り替えることができ、かつ、停電発生時には自動的に点灯する照明器具を提供することを課題とする。
【課題を解決するための手段】
【０００８】
上記課題を解決するために本発明による照明器具は、外部の商用電源から電力供給を受け、発光体を発光させる照明器具であって、発光体の点消灯を行うスイッチを有するものにおいて、上記スイッチのオンオフ状態にかかわらず充電部に充電する充電回路部と、上記商用電源からの電力供給が停止したことを検知する停電検知部とを備え、上記停電検知部が停電の発生を検知すると、上記充電部に充電されている電力によって上記発光部を発光させることを特徴とする。
【０００９】
外部電源から電力供給を受けている、いわゆる通電状態では点消灯用のスイッチのオンオフに関わらず、充電部を充電する。そして、外部電源からの電力供給が停止した状態、すなわち停電状態では、充電部に充電した電力で発光部を点灯させる。
【００１０】
なお、このような照明器具は、室内の天井に設置される主照明器具よりも下方に位置して取り付けられ、副照明器具として使用されることが望ましい。
【発明の効果】
【００１１】
以上の説明から明らかなように、本発明は、停電発生時には自動的に点灯するので、照明器具の周りが暗闇にならず、例えば懐中電灯を冷静に探すことができる。また、通電時には通常の照明器具と同様にスイッチの操作で点消灯することのできる照明器具として使用することができる。
【図面の簡単な説明】
【００１２】
【図１】本発明の一実施の形態の取り付け状態及び外観を示す図
【図２】照明器具内部の構成を示すブロック図
【発明を実施するための形態】
【００１３】
図１を参照して、１は本発明による照明器具である。この照明器具は台所の吊戸棚ＤＢの底面ＢＦに取り付けられている。台所には図示しない照明器具が天井に別途取り付けられており、その天井の照明器具で台所全体を照明している。ただし、炊事などの際に手元をさらに明るくしたい場合に、照明器具１を点灯させて吊戸棚ＤＢの下方を個別に照明するために設けられている。この照明器具１には点消灯用のスイッチ１１が設けられており、個別にこのスイッチ１１をオンオフさせることにより照明部１２内に設けた後述するＬＥＤ４１が点灯し、あるいは消灯する。
【００１４】
図２を参照して、本照明器具１は外部の商用電源３から電力供給を受けて点灯するものであり、この外部の商用電力から電力の供給が停止したことを検知するための停電検知回路２が設けられている。そして、この停電検知回路２の下流で分岐され、一方はＬＥＤ４１の駆動回路４に接続され、他方は充電回路５に接続されている。
【００１５】
停電検知回路２と駆動回路４との間には、上記の点消灯用のスイッチ１１が設けられているので、このスイッチ１１をオンにすると駆動回路４に交流電力が供給されてＬＥＤ４１が点灯する。また、スイッチ１１をオフにすると駆動回路４に交流電力が供給されないようになるので、ＬＥＤ４１は消灯する。
【００１６】
充電回路５には充電部であるコンデンサ５１が接続されており、上記スイッチ１１のオンオフ状態の如何に関わらず、常時コンデンサ５１に充電している。
【００１７】
停電が発生すると、商用電源３からの電力の供給が停止するので、スイッチ１１が例えオンの状態であっても、駆動回路４からＬＥＤ４１に電流が流れない。一方、停電が発生すると停電検知回路２から充電回路５に対して点灯信号が出力される。
【００１８】
充電回路５はこの点灯信号が入力されると、コンデンサ５１に充電されている電力でＬＥＤ４１を点灯させるように電流を出力する。従って、スイッチ１１がオンオフいずれの状態であっても、停電発生によってコンデンサ５１からの電力が供給され、ＬＥＤ４１は点灯する。
【００１９】
この停電状態での点灯継続時間はコンデンサ５１の容量によって長短するが、停電が発生しても、しばらくの間はＬＥＤ４１が点灯し続けるので、その間に懐中電灯などを探すことができる。
【００２０】
ところで、本発明による照明器具は台所の吊戸棚ＤＢに取り付けられるものに適用できるほか、例えば居間などに置かれるスタンドや、寝室のベッドサイドに置かれる読書灯などに適用することができる。
【００２１】
なお、本発明は上記した形態に限定されるものではなく、本発明の要旨を逸脱しない範囲内において種々の変更を加えてもかまわない。
【符号の説明】
【００２２】
１ 照明器具
２ 停電検知回路
３ 商用電源
４ 駆動回路
５ 充電回路
１１ スイッチ
５１ コンデンサ
ＤＢ 吊戸棚
【図１】
2015125960.tif 000003
【図２】
2015125960.tif 000004